(57)【要約】【課題】電源制御用の信号を用いることなく、待機状態の消費電力を抑制しつつ装置間の電源連動を実現する。【解決手段】基本装置１０において、上位入力電圧変更部１１が、自装置から拡張装置２０に入力するデータを伝送する上位データ入力線３０の電圧を基準値から変化させる。また、拡張装置２０において、上位入力電圧検出部２３が、上位データ入力線３０の電圧の変化を検出する。また、電源制御部２４が、上位入力電圧検出部２３によって検出された電圧の変化に基づいて制御部２２への電源供給を制御する。【選択図】図１
2011090574.tif 000002
【特許請求の範囲】
【請求項１】
外部からのアクセス要求を制御する基本装置と、
前記基本装置と通信可能に接続され、自装置内の記憶媒体に対する前記基本装置からのアクセス要求を制御する制御部を備えた拡張装置とを有し、
前記基本装置は、
自装置から前記拡張装置に入力するデータを伝送する上位データ入力線の電圧を基準値から変化させる上位入力電圧変更部を有し、
前記拡張装置は、
前記上位データ入力線の電圧の変化を検出する上位入力電圧検出部と、
前記上位入力電圧検出部によって検出された電圧の変化に基づいて前記制御部への電源供給を制御する電源制御部と
を有することを特徴とする記憶システム。
【請求項２】
前記基本装置が有する前記上位入力電圧変更部は、前記上位データ入力線に所定の大きさの電圧を重畳させることで前記拡張装置に対して電源投入を指示し、
前記拡張装置が有する前記上位入力電圧検出部は、前記上位データ入力線に電圧が重畳されているか否かを検出し、
前記拡張装置が有する前記電源制御部は、前記上位入力電圧検出部によって前記上位データ入力線に電圧が重畳されていることが検出された場合に、前記制御部に電源を投入して起動することを特徴とする請求項１に記載の記憶システム。
【請求項３】
前記拡張装置と通信可能に接続され、当該拡張装置と同様の構成を有する追加拡張装置をさらに有し、
前記拡張装置は、
前記電源制御部によって前記制御部に電源が投入された場合に、自装置から前記追加拡張装置に出力するデータを伝送する下位データ出力線に所定の大きさの電圧を重畳させる下位出力電圧重畳部をさらに有することを特徴とする請求項２に記載の記憶システム。
【請求項４】
前記基本装置が有する前記上位入力電圧変更部は、
前記上位データ入力線への電圧の重畳を停止することで前記拡張装置に対して電源切断を指示し、
前記拡張装置が有する前記電源制御部は、
前記上位入力電圧検出部によって前記上位データ入力線に電圧が重畳されていないことが検出された場合に、前記制御部への電源供給を停止することを特徴とする請求項２に記載の記憶システム。
【請求項５】
前記拡張装置は、
前記制御部への電源供給が停止可能な状態である場合に、自装置から前記基本装置に出力するデータを伝送する上位データ出力線に所定の大きさの電圧を重畳させる上位出力電圧重畳部をさらに有し、
前記基本装置は、
前記上位データ出力線に電圧が重畳されているか否かを検出する上位出力電圧検出部をさらに有し、
前記基本装置が有する前記上位入力電圧変更部は、
前記上位出力電圧検出部によって前記上位データ出力線に電圧が重畳されていることが検出された場合に、前記上位データ入力線への電圧の重畳を停止することを特徴とする請求項４に記載の記憶システム。
【請求項６】
前記拡張装置と通信可能に接続され、当該拡張装置と同様の構成を有する追加拡張装置をさらに有し、
前記拡張装置が有する前記下位出力電圧重畳部は、
前記電源制御部によって前記制御部への電源供給が停止された場合に、自装置から前記追加拡張装置に出力するデータを伝送する下位データ出力線への電圧の重畳を停止することを特徴とする請求項３に記載の記憶システム。
【請求項７】
前記拡張装置は、
前記追加拡張装置から自装置に入力するデータを伝送する下位データ入力線に電圧が重畳されているか否かを検出する下位入力電圧検出部をさらに有し、
前記拡張装置が有する前記上位出力電圧重畳部は、
前記下位入力電圧検出部によって前記下位データ入力線に電圧が重畳されていることが検出され、かつ、前記制御部への電源供給が停止可能な状態である場合に、前記上位データ出力線に電圧を重畳させることを特徴とする請求項５に記載の記憶システム。
【請求項８】
前記基本装置が有する前記上位入力電圧変更部は、
前記上位データ入力線に電圧を重畳させる際に、前記拡張装置に対して電源投入又は電源切断のいずれを指示するかに応じて、当該電圧を正の電圧とするか負の電圧とするかを切り替え、
前記拡張装置が有する前記上位入力電圧検出部は、
前記上位データ入力線に重畳されている電圧が正の電圧又は負の電圧のいずれであるかを検出し、
前記拡張装置が有する前記電源制御部は、
前記上位入力電圧検出部によって検出された電圧が正の電圧であるか負の電圧であるかに応じて、前記制御部に対して電源供給又は電源供給停止のいずれかを行うことを特徴とする請求項４に記載の記憶システム。
【請求項９】
上位装置から入力するデータを伝送する上位データ入力線と、
記憶媒体と、
前記上位データ入力線を介して受信した前記記憶媒体に対するアクセス要求を制御する制御部と、
前記上位データ入力線の電圧の変化を検出する上位入力電圧検出部と、
前記上位入力電圧検出部によって検出された電圧の変化に基づいて前記制御部への電源供給を制御する電源制御部と
を有することを特徴とする記憶装置。
【請求項１０】
記憶媒体を有する記憶装置が上位装置から入力するデータを伝送する上位データ入力線の電圧の変化を検出するステップと、
検出された電圧の変化に基づいて、前記上位データ入力線を介して受信した前記記憶媒体に対するアクセス要求を制御する制御部への電源供給を制御するステップと
を含んだことを特徴とする記憶装置起動方法。
【発明の詳細な説明】
【技術分野】
【０００１】
本発明は、記憶システム、記憶装置及び記憶装置起動方法に関する。
【背景技術】
【０００２】
従来、複数の情報処理装置を接続したシステムにおいて、一つの情報処理装置が他の情報処理装置を起動する技術が知られている。複数の情報処理装置を接続したシステムの一例として、外部からのアクセス要求を制御する基本装置と、自装置内の記憶媒体に対する基本装置からのアクセス要求を制御する拡張装置とを接続した記憶システムがある。
【０００３】
基本装置に拡張装置を接続した記憶システムは、拡張装置の増設によって記憶媒体の追加が可能である。拡張装置は、例えばシリアル接続によって増設する。基本装置に拡張装置を接続した記憶システムでは、基本装置が拡張装置を起動可能であることが望ましい。
【０００４】
基本装置が拡張装置を起動する構成としては、基本装置と拡張装置との間に電源制御用の専用線を設ける構成が考えられる。また、拡張装置の内部において、基本装置と通信可能に接続されて自装置内の記憶装置のアクセスを制御する制御部を常に動作させておき、基本装置との通信に基づいて記憶媒体を起動する構成も考えられる。なお、拡張装置をシリアル接続する場合には、起動した拡張装置が下位に接続された拡張装置を起動することで、複数の拡張装置を順次起動することができる。
【先行技術文献】
【特許文献】
【０００５】
【特許文献１】特表２００７−５０３７９１号公報
【特許文献２】特開２００５−２５０７３９号公報
【発明の概要】
【発明が解決しようとする課題】
【０００６】
しかしながら、基本装置と拡張装置との通信インタフェースに電源制御用の信号が存在するとは限らない。このため、電源制御用の信号が存在しない通信インタフェースを用いる場合には、上述したように基本装置と拡張装置との間に電源制御用の専用線を設ける構成を採用することができない。
【０００７】
また、拡張装置の内部において、基本装置と通信可能に接続されて自装置内の記憶装置のアクセスを制御する制御部を常に動作させる構成では、制御部の動作に要する電力消費が無視できない。
【０００８】
このように従来の技術では、電源制御用の信号が存在しない通信インタフェースで待機状態の消費電力を充分に抑制することができないという問題点があった。
【０００９】
開示の技術は、上記に鑑みてなされたものであって、電源制御用の信号を用いることなく、待機状態の消費電力を抑制しつつ装置間の電源連動を実現する記憶システム、記憶装置及び記憶装置起動方法を提供することを目的とする。
【課題を解決するための手段】
【００１０】
本願が開示する記憶システムは、一つの態様において、外部からのアクセス要求を制御する基本装置と、基本装置と通信可能に接続され、自装置内の記憶媒体に対する基本装置からのアクセス要求を制御する制御部を備えた拡張装置とを有する。そして、基本装置は、自装置から拡張装置に入力するデータを伝送する上位データ入力線の電圧を基準値から変化させる。また、拡張装置は、上位データ入力線の電圧の変化を検出し、検出された電圧の変化に基づいて制御部への電源供給を制御する。
【００１１】
また、本願が開示する記憶装置及び記憶装置起動方法は、一つの態様において、記憶媒体を有する記憶装置が上位装置から入力するデータを伝送する上位データ入力線の電圧の変化を検出する。また、検出された電圧の変化に基づいて、上位データ入力線を介して受信した記憶媒体に対するアクセス要求を制御する制御部への電源供給を制御する。
【発明の効果】
【００１２】
本願が開示する記憶システム、記憶装置及び記憶装置起動方法の一つの態様によれば、電源制御用の信号を用いることなく、待機状態の消費電力を抑制しつつ装置間の電源連動を実現することができるという効果を奏する。
【図面の簡単な説明】
【００１３】
【図１】図１は、実施例１に係る記憶システムの構成を示すシステム構成図である。
【図２】図２は、実施例２に係る記憶システムの構成を示すシステム構成図である。
【図３】図３は、実施例２に係るコントローラエンクロージャの構成を示す機能ブロック図である。
【図４】図４は、実施例２に係るディスクエンクロージャの構成を示す機能ブロック図である。
【図５】図５は、実施例２に係るディスクエンクロージャの処理手順を示すフローチャート（１）である。
【図６】図６は、実施例２に係るディスクエンクロージャの処理手順を示すフローチャート（２）である。
【図７】図７は、実施例２に係る記憶システムにおける電源連動の流れを説明するための図（１）である。
【図８】図８は、実施例２に係る記憶システムにおける電源連動の流れを説明するための図（２）である。
【発明を実施するための形態】
【００１４】
以下に、本願が開示する記憶システム、記憶装置及び記憶装置起動方法の実施例を図面に基づいて詳細に説明する。なお、以下に示す実施例によって本発明が限定されるものではない。
【実施例１】
【００１５】
まず、実施例１について説明する。図１は、実施例１に係る記憶システムの構成を示すシステム構成図である。図１に示すように、実施例１に係る記憶システムは、基本装置１０と、拡張装置２０とを有する。基本装置１０は、外部からのアクセス要求を制御する。拡張装置２０は、基本装置１０と通信可能に接続される。また、拡張装置２０は、自装置内の記憶媒体２１に対する基本装置１０からのアクセス要求を制御する制御部２２を備える。
【００１６】
ここで、基本装置１０は、上位入力電圧変更部１１を有する。上位入力電圧変更部１１は、自装置から拡張装置２０に入力するデータを伝送する上位データ入力線３０の電圧を基準値から変化させる。
【００１７】
また、拡張装置２０は、上位入力電圧検出部２３と、電源制御部２４とを有する。上位入力電圧検出部２３は、上位データ入力線３０の電圧の変化を検出する。また、電源制御部２４は、上位入力電圧検出部２３によって検出された電圧の変化に基づいて制御部２２への電源供給を制御する。
【００１８】
すなわち、実施例１に係る記憶システムでは、拡張装置２０は、データ伝送用の信号線を監視する。そして、拡張装置２０は、基本装置１０によって信号線の電圧が基準値から変更された場合に、その電圧の変化に基づいて制御部２２への電源供給を制御する。したがって、実施例１によれば、電源制御用の信号を用いることなく、待機状態の消費電力を抑制しつつ装置間の電源連動を実現することができる。
【実施例２】
【００１９】
次に、実施例２について説明する。図２は、実施例２に係る記憶システムの構成を示すシステム構成図である。図２に示すように、実施例２に係る記憶システム１００は、コントローラエンクロージャ１１０と、ディスクエンクロージャ１２０と、ディスクエンクロージャ１３０とを有する。
【００２０】
なお、図２では図示を省略するが、記憶システム１００は、ディスクエンクロージャ１２０及び１３０の他にも複数のディスクエンクロージャを有している。そして、記憶システム１００では、コントローラエンクロージャ１１０に対して、複数のディスクエンクロージャが多段に接続されている。
【００２１】
コントローラエンクロージャ１１０は、記憶システム１００の外部から送信されるアクセス要求を制御する。例えば、コントローラエンクロージャ１１０は、ネットワークを介して接続されたホストコンピュータ４０から送信されるアクセス要求を制御する。
【００２２】
ディスクエンクロージャ１２０は、各種データを記憶する複数のＨＤＤ（Hard  Disk  Drive）を格納している。また、ディスクエンクロージャ１２０は、コントローラエンクロージャ１１０と通信可能に接続され、自装置内のＨＤＤに対するコントローラエンクロージャ１１０からのアクセス要求を制御する。また、ディスクエンクロージャ１２０は、ディスクエンクロージャ１３０と通信可能に接続され、ディスクエンクロージャ１３０や他のディスクエンクロージャに対するアクセス要求を中継する。
【００２３】
なお、本実施例２では、コントローラエンクロージャ１１０とディスクエンクロージャ１２０との間、及び、隣接するディスクエンクロージャの間では、それぞれ、ＳＡＳ（Serial  Attached  SCSI）によるシリアル通信でデータが伝送されることとする。
【００２４】
次に、コントローラエンクロージャ１１０の構成について説明する。図３は、実施例２に係るコントローラエンクロージャ１１０の構成を示す機能ブロック図である。図３に示すように、コントローラエンクロージャ１１０は、データＩ／Ｆ線６０を介して、ホストコンピュータ４０などの外部装置５０と通信可能に接続されている。ここで、データＩ／Ｆ線６０は、コントローラエンクロージャ１１０との間でやり取りされる各種データを伝送する。
【００２５】
また、コントローラエンクロージャ１１０は、上位データ入力線３１及び上位データ出力線３２を介して、ディスクエンクロージャ１２０と通信可能に接続されている。ここで、上位データ入力線３１は、コントローラエンクロージャ１１０からディスクエンクロージャ１２０に入力されるデータを片方向に伝送する。また、上位データ出力線３２は、ディスクエンクロージャ１２０からコントローラエンクロージャ１１０に出力されるデータを片方向に伝送する。
【００２６】
なお、本実施例２では、コントローラエンクロージャ１１０とディスクエンクロージャ１２０との間に設けられたデータ伝送線は、それぞれ２本の信号線からなる差動信号線で構成される。なお、ここでいうデータ伝送線とは、上述した上位データ入力線３１及び上位データ出力線３２のことである。また、ＳＡＳでは、２組の差動信号線を１チャンネルとし、合計で４チャンネルの信号線でデータが伝送されるが、図３では、１チャンネル分の信号線のみを示している。
【００２７】
そして、本実施例２では、各差動信号線は、それぞれコモンモードで通信が行われることとする。また、本実施例２では、以下で詳細に説明するが、各データ伝送線には、所定の大きさのＤＣ電圧が重畳される。以下では、各データ伝送線に重畳される所定の大きさのＤＣ電圧をＤＣオフセット電圧と呼ぶ。
【００２８】
コントローラエンクロージャ１１０は、装置制御部１１１、システム制御デバイス１１２、電源回路１１３、ＤＣ電圧重畳回路１１４、ＤＣ電圧検出回路１１５及び電源制御部１１６を有する。ここで、装置制御部１１１、電源回路１１３、ＤＣ電圧重畳回路１１４、ＤＣ電圧検出回路１１５、電源制御部１１６は、それぞれ、図示していない待機電源から供給される電力によって適宜に作動する。すなわち、装置制御部１１１、電源回路１１３、ＤＣ電圧重畳回路１１４、ＤＣ電圧検出回路１１５、電源制御部１１６は、それぞれ、システム制御デバイス１１２が起動していない間も適宜に作動する。
【００２９】
装置制御部１１１は、外部装置５０から送信されるアクセス要求に基づいて、システムデバイス１１２を制御する。この装置制御部１１１は、内部バス１１７を介して、システムデバイス１１２との間で各種データや制御コマンドをやり取りする。
【００３０】
システム制御デバイス１１２は、ディスクエンクロージャ１２０が有するＨＤＤに対する外部装置５０からのアクセス要求を制御する。また、システム制御デバイス１２２は、内部バス１１７を介して装置制御部１１１から送られたデータ及び制御コマンドを、上位データ入力線３１を介してディスクエンクロージャ１２０へ転送する。また、システム制御デバイス１１２は、上位データ出力線３２を介してディスクエンクロージャ１２０から伝送されたデータを、内部バス１１７を介して装置制御部１１１へ転送する。なお、本実施例２では、システム制御デバイス１１２はＳＡＳコントローラである。
【００３１】
電源回路１１３は、後述する電源制御部１１６による制御のもと、図示していない主電源から供給される電力をコントローラエンクロージャ１１０の筐体内の各部に供給する。
【００３２】
ＤＣ電圧重畳回路１１４は、後述する電源制御部１１６による制御のもと、ディスクエンクロージャ１２０に対して電源投入又は電源切断を指示する。このＤＣ電圧重畳回路１１４は、上位データ入力線３１に所定の大きさのＤＣオフセット電圧を重畳させることで、ディスクエンクロージャ１２０に対して電源投入を指示する。
【００３３】
また、ＤＣ電圧重畳回路１１４は、後述する電源制御部１１６による制御のもと、上位データ入力線３１へのＤＣオフセット電圧の重畳を停止することで、ディスクエンクロージャ１２０に対して電源切断を指示する。なお、ＤＣ電圧重畳回路１１４は、記憶システム１００全体を電源断に遷移する場合、後述するＤＣ電圧検出回路１１５が上位データ出力線３２に重畳されたＤＣオフセット電圧を検出している間に、上位データ入力線３１へのＤＣオフセット電圧の重畳を停止する。
【００３４】
ＤＣ電圧検出回路１１５は、上位データ出力線３２にＤＣオフセット電圧が重畳されているか否かを検出する。
【００３５】
電源制御部１１６は、電源回路１１３を駆動することで、コントローラエンクロージャ１１０が有する各部に電源を供給する。また、電源制御部１１６は、例えば操作者から電源投入を指示された場合に、ＤＣ電圧重畳回路１１４に対して、ＤＣオフセット電圧を重畳するよう指示する。また、電源制御部１１６は、ＤＣ電圧検出回路１１５によってＤＣオフセット電圧が検出されている間に、操作者から電源の切断指示を受け付けると、ＤＣ電圧重畳回路１１４に対して、ＤＣオフセット電圧を停止するよう指示する。
【００３６】
次に、各ディスクエンクロージャの構成について説明する。なお、記憶システム１００が有する各ディスクエンクロージャは、いずれも同様の構成を有するので、ここではディスクエンクロージャ１２０を例にあげて説明する。図４は、実施例２に係るディスクエンクロージャ１２０の構成を示す機能ブロック図である。
【００３７】
図４に示すように、ディスクエンクロージャ１２０は、前述した上位データ入力線３１及び上位データ出力線３２を介して、コントローラエンクロージャ１１０と通信可能に接続されている。
【００３８】
また、ディスクエンクロージャ１２０は、下位データ出力線３３及び下位データ入力線３４を介して、ディスクエンクロージャ１３０と通信可能に接続されている。ここで、下位データ出力線３３は、ディスクエンクロージャ１２０からディスクエンクロージャ１３０に入力されるデータを片方向に伝送する。また、下位データ入力線３４は、ディスクエンクロージャ１３０からディスクエンクロージャ１２０に出力されるデータを片方向に伝送する。また、ディスクエンクロージャ１３０は、さらに、図示していない他のディスクエンクロージャにも同様に接続されている。
【００３９】
なお、本実施例２では、隣接するディスクエンクロージャの間に設けられたデータ伝送線は、それぞれ２本の信号線からなる差動信号線で構成される。なお、ここでいうデータ伝送線とは、上述した上位データ入力線３１、上位データ出力線３２、下位データ出力線３３及び下位データ入力線３４のことである。また、ＳＡＳでは、２組の差動信号線を１チャンネルとし、合計で４チャンネルの信号線でデータが伝送されるが、図４では、１チャンネル分の信号線のみを示している。そして、本実施例２では、前述したように、各差動信号線は、それぞれコモンモードで通信が行われる。また、各データ伝送線には、ＤＣオフセット電圧が重畳される。
【００４０】
ディスクエンクロージャ１２０は、ＨＤＤ１２１1〜１２１n、システム制御デバイス１２２、電源回路１２８、ＤＣ電圧検出回路１２３及び１２７、ＤＣ電圧重畳回路１２５及び１２６、ならびに、電源制御部１２４を有する。ここで、電源回路１２８、ＤＣ電圧検出回路１２３及び１２７、ＤＣ電圧重畳回路１２５及び１２６、電源制御部１２４は、それぞれ、図示していない待機電源から供給される電力によって適宜に作動する。すなわち、電源回路１２８、ＤＣ電圧検出回路１２３及び１２７、ＤＣ電圧重畳回路１２５及び１２６、電源制御部１２４は、それぞれ、ＨＤＤ１２１1〜１２１n及びシステム制御デバイス１２２が起動していない間も適宜に作動する。
【００４１】
ＨＤＤ１２１1〜１２１nは、各種データを記憶する。
【００４２】
システム制御デバイス１２２は、ＨＤＤ１２１1〜１２１nに対するコントローラエンクロージャ１１０からのアクセス要求を制御する。また、システム制御デバイス１２２は、上位データ入力線３１を介してコントローラエンクロージャ１１０から伝送されたデータを、下位データ出力線３３を介してディスクエンクロージャ１３０へ転送する。また、システム制御デバイス１２２は、下位データ入力線３４を介してディスクエンクロージャ１３０から伝送されたデータを、上位データ出力線３２を介してコントローラエンクロージャ１１０へ転送する。なお、本実施例２では、システム制御デバイス１２２はＳＡＳエキスパンダである。
【００４３】
電源回路１２８は、後述する電源制御部１２４による制御のもと、図示していない主電源から供給される電力をディスクエンクロージャ１２０の筐体内の各部に供給する。
【００４４】
ＤＣ電圧検出回路１２３は、上位データ入力線３１にＤＣオフセット電圧が重畳されているか否かを検出する。ＤＣ電圧検出回路１２７は、下位データ入力線３４にＤＣオフセット電圧が重畳されているか否かを検出する。
【００４５】
ＤＣ電圧重畳回路１２５は、後述する電源制御部１２４によってシステム制御デバイス１２２に電源が投入された場合に、下位データ出力線３３にＤＣオフセット電圧を重畳させる。また、ＤＣ電圧重畳回路１２５は、後述する電源制御部１２４によってシステム制御デバイス１２２への電源供給が停止された場合に、下位データ出力線３３へのＤＣオフセット電圧の重畳を停止する。
【００４６】
ＤＣ電圧重畳回路１２６は、下位データ入力線３４にＤＣオフセット電圧が重畳されていることが検出され、かつ、システム制御デバイス１２２への電源供給が停止可能な状態である場合に、上位データ出力線３２にＤＣオフセット電圧を重畳させる。なお、ここでいうシステム制御デバイス１２２への電源供給が停止可能な場合とは、例えば、システム制御デバイス１２２が他の装置との間でデータのやり取りをしていない状態が所定時間以上継続している場合である。
【００４７】
すなわち、ＤＣ電圧重畳回路１２６は、ディスクエンクロージャ１２０を含めて下位に接続された全てのディスクエンクロージャにおいて電源供給が停止可能な状態である場合のみ、上位データ出力線３２にＤＣオフセット電圧を重畳させることになる。なお、ＤＣ電圧重畳回路１２６は、複数のディスクエンクロージャの中でディスクエンクロージャ１２０が終端に位置していた場合には、システム制御デバイス１２２への電源供給が停止可能な状態であれば上位データ出力線３２にＤＣオフセット電圧を重畳させる。
【００４８】
電源制御部１２４は、電源回路１２８を駆動することで、ディスクエンクロージャ１２０が有する各部に電源を供給する。この電源制御部１２４は、ＤＣ電圧検出回路１２３によって上位データ入力線３１にＤＣオフセット電圧が重畳されていることが検出された場合に、システム制御デバイス１２２に電源を投入して起動する。また、電源制御部１２４は、ＤＣ電圧検出回路１２３によって上位データ入力線３１にＤＣオフセット電圧が重畳されていないことが検出された場合に、システム制御デバイス１２２への電源供給を停止する。なお、かかる電源制御部１２４によって行われる制御については、以降で詳細に説明する。
【００４９】
次に、実施例２に係るディスクエンクロージャ１２０の処理手順について説明する。図５及び６は、実施例２に係るディスクエンクロージャ１２０の処理手順を示すフローチャートである。なお、ここでは、図５を用いて、上位データ入力線３１に重畳されるＤＣオフセット電圧に基づく処理を説明する。また、図６を用いて、下位データ入力線３４に重畳されるＤＣオフセット電圧に基づく処理を説明する。なお、ここで説明する処理手順において、ディスクエンクロージャ１２０が有する各部間における制御の遷移は電源制御部１２４によって制御される。
【００５０】
図５に示すように、ディスクエンクロージャ１２０では、ＤＣ電圧検出回路１２３が、上位データ入力線３１にＤＣオフセット電圧が重畳されているか否かを検出する（ステップＳ１１）。
【００５１】
そして、ＤＣオフセット電圧が重畳されていることが検出された場合には（ステップＳ１２，Ｙｅｓ）、電源制御部１２４が、ＤＣ電圧重畳回路１２５に対して、下位データ出力線３３にＤＣオフセット電圧を重畳するよう指示する（ステップＳ１３）。さらに、電源制御部１２４は、電源回路１２８を駆動することで、システム制御デバイス１２２に電源を供給する（ステップＳ１４）。なお、例えば、ＤＣ電圧重畳回路１２５が、システム制御デバイスの状態を監視し、電源制御部１２４によってシステム制御デバイス１２２に電源が供給されたことを検出した場合に、下位データ出力線３３にＤＣオフセット電圧を重畳させるようにしてもよい。
【００５２】
一方、ＤＣオフセット電圧が重畳されていないことが検出された場合には（ステップＳ１２，Ｎｏ）、電源制御部１２４は、ＤＣ電圧重畳回路１２５に対して、下位データ出力線３３へのＤＣオフセット電圧の重畳を停止するよう指示する（ステップＳ１５）。さらに、電源制御部１２４は、電源回路１２８を駆動することで、システム制御デバイス１２２への電源供給を停止する（ステップＳ１６）。
【００５３】
また、図６に示すように、ディスクエンクロージャ１２０では、ＤＣ電圧検出回路１２７が、下位データ入力線３４にＤＣオフセット電圧が重畳されているか否かを検出する（ステップＳ２１）。
【００５４】
そして、下位データ入力線３４にＤＣオフセット電圧が重畳されていることが検出された場合には（ステップＳ２２，Ｙｅｓ）、電源制御部１２４が、システム制御デバイス１２２への電源供給が停止可能な状態であるか否かを判定する（ステップＳ２３）。ここで、電源供給が停止可能な状態であると判定された場合には（ステップＳ２４，Ｙｅｓ）、ＤＣ電圧重畳回路１２５が、上位データ出力線３２にＤＣオフセット電圧を重畳させる（ステップＳ２５）。
【００５５】
一方、下位データ入力線３４にＤＣオフセット電圧が重畳されていることが検出されなかった場合には（ステップＳ２２，Ｎｏ）、電源制御部１２４は、電源回路１２８を駆動することで、システム制御デバイス１２２への電源供給を停止する（ステップＳ２６）。また、電源制御部１２４は、システム制御デバイス１２への電源供給が停止可能な状態でないと判定された場合にも（ステップＳ２４，Ｎｏ）、システム制御デバイス１２２への電源供給を停止する（ステップＳ２６）。
【００５６】
次に、実施例２に係る記憶システム１００における電源連動の流れについて説明する。図７及び８は、実施例２に係る記憶システム１００における電源連動の流れを説明するための図である。なお、ここでは、図７を用いて、電源投入時の流れを説明する。また、図８を用いて、電源切断時の流れを説明する。なお、ここでは、ディスクエンクロージャ１２０における電源投入および電源切断を中心に説明することとし、説明に登場しない部については図示を省略する。また、図７および８では、説明の都合上、システム制御デバイス１２２を２つに分けて示している。
【００５７】
図７に示すように、電源投入時には、まず、コントローラエンクロージャ１１０において、ＤＣ電圧重畳回路１１４が、電源制御部１１６からの指示に応じて、上位データ入力線３１にＤＣオフセット電圧を重畳させる（図７の（１）参照）。
【００５８】
その後、ディスクエンクロージャ１２０において、ＤＣ電圧検出回路１２３が、上位データ入力線３１にＤＣオフセット電圧が重畳されていることを検出する。そして、ＤＣ電圧検出回路１２３は、ＤＣオフセット電圧を検出したことを電源制御部１２４に通知する（図７の（２）参照）。
【００５９】
ＤＣオフセット電圧を検出したことがＤＣ電圧検出回路１２３から通知されると、電源制御部１２４は、まず、ＤＣ電圧重畳回路１２５に対して、下位データ出力線３３にＤＣオフセット電圧を重畳するよう指示する（図７の（３）参照）。ここで、電源制御部１２４が、ＤＣ電圧重畳回路１２５に対してＤＣオフセット電圧を重畳するよう指示することによって、システム制御デバイス１２２が起動するのを待つことなく、ディスクエンクロージャ１３０に対して速やかに電源投入を指示することができる。
【００６０】
ＤＣ電圧重畳回路１２５は、電源制御部１２４からＤＣオフセット電圧を重畳するよう指示されると、下位データ出力線３３にＤＣオフセット電圧を重畳させることで、ディスクエンクロージャ１３０に対して電源投入を指示する（図７の（４）参照）。これにより、ディスクエンクロージャ１３０が有するシステム制御デバイスが起動される。
【００６１】
また、ＤＣオフセット電圧を検出したことがＤＣ電圧検出回路１２３から通知された時点で、電源制御部１２４は、電源回路１２８に対して、システム制御デバイス１２２に電源を投入するよう指示する（図７の（５）参照）。電源回路１２８は、システム制御デバイス１２２に電源を投入するよう電源制御部１２４から指示されると、システム制御デバイス１２２への電源供給を開始する（図７の（６）参照）。これにより、ディスクエンクロージャ１２０が有するシステム制御デバイス１２２が起動される。
【００６２】
ディスクエンクロージャ１３０は、停止可能な状態である場合に、下位データ入力線３４にＤＣオフセット電圧を重畳させる（図７の（７）参照）。その後、ディスクエンクロージャ１２０において、ＤＣ電圧検出回路１２７が、下位データ入力線３４にＤＣオフセット電圧が重畳されていることを検出する。そして、ＤＣ電圧検出回路１２７がＤＣオフセット電圧を検出し、かつ、システム制御デバイス１２２への電源供給が停止可能な状態である場合に、ＤＣ電圧重畳回路１２６が、上位データ出力線３２にＤＣオフセット電圧を重畳させる（図７の（８）参照）。
【００６３】
また、図８に示すように、電源切断時には、まず、コントローラエンクロージャ１１０において、ＤＣ電圧検出回路１１５が、上位データ出力線３２にＤＣオフセット電圧が重畳されていることを検出する（図８の（１）参照）。そして、ＤＣ電圧検出回路１１５は、ＤＣオフセット電圧を検出したことを電源制御部１１６に通知する（図８の（２）参照）。
【００６４】
ここで、電源制御部１１６は、ＤＣオフセット電圧を検出したことがＤＣ電圧検出回路１１５から通知されている間に、電源の切断指示を受け付けると、ＤＣ電圧重畳回路１１４に対して、ＤＣオフセット電圧を停止するよう指示する（図８の（３）参照）。ＤＣ電圧重畳回路１１４は、電源制御部１１６からＤＣオフセット電圧を停止するよう指示されると、上位データ入力線３１へのＤＣオフセット電圧の重畳を停止することで、ディスクエンクロージャ１２０に対して電源切断を指示する（図８の（４）参照）。
【００６５】
その後、ディスクエンクロージャ１２０において、ＤＣ電圧検出回路１２３が、上位データ入力線３１にＤＣオフセット電圧が重畳されていないことを検出する。そして、ＤＣ電圧検出回路１２３は、ＤＣオフセット電圧が喪失したことを電源制御部１２４に通知する（図８の（５）参照）。
【００６６】
ＤＣオフセット電圧が喪失したことがＤＣ電圧検出回路１２３から通知されると、電源制御部１２４は、まず、ＤＣ電圧重畳回路１２５に対して、下位データ出力線３３へのＤＣオフセット電圧の重畳を停止するよう指示する（図８の（６）参照）。ここで、電源制御部１２４が、ＤＣ電圧重畳回路１２５に対してＤＣオフセット電圧を停止するよう指示することによって、システム制御デバイス１２２が停止するのを待つことなく、ディスクエンクロージャ１３０に対して速やかに電源切断を指示することができる。
【００６７】
ＤＣ電圧重畳回路１２５は、電源制御部１２４からＤＣオフセット電圧を停止するよう指示されると、下位データ出力線３３へのＤＣオフセット電圧の重畳を停止することで、ディスクエンクロージャ１３０に対して電源切断を指示する（図８の（７）参照）。これにより、ディスクエンクロージャ１３０が有するシステム制御デバイスの電源が切断される。
【００６８】
また、ＤＣオフセット電圧が喪失したことがＤＣ電圧検出回路１２３から通知された時点で、電源制御部１２４は、電源回路１２８に対して、システム制御デバイス１２２の電源を切断するよう指示する（図８の（８）参照）。電源回路１２８は、システム制御デバイス１２２の電源を切断するよう電源制御部１２４から指示されると、システム制御デバイス１２２への電源供給を停止する（図８の（９）参照）。これにより、ディスクエンクロージャ１２０が有するシステム制御デバイス１２２の電源が切断される。
【００６９】
上述したように、本実施例２では、コントローラエンクロージャ１１０において、ＤＣ電圧重畳回路１１４は、上位データ入力線３１にＤＣオフセット電圧を重畳させることで、ディスクエンクロージャ１２０に対して電源投入を指示する。また、ディスクエンクロージャ１２０において、ＤＣ電圧検出回路１２３は、上位データ入力線３１にＤＣオフセット電圧が重畳されているか否かを検出する。また、電源制御部１２４は、ＤＣ電圧検出回路１２３によって上位データ入力線３１にＤＣオフセット電圧が重畳されていることが検出された場合に、システム制御デバイス１２２に電源を投入して起動する。
【００７０】
すなわち、本実施例２では、ディスクエンクロージャ１２０は、データ伝送用の上位データ入力線３１を監視する。そして、ディスクエンクロージャ１２０は、コントローラエンクロージャ１１０によって上位データ入力線３１にＤＣオフセット電圧が重畳された場合に、システム制御デバイス１２２の電源を投入する。したがって、実施例１によれば、電源制御用の信号を用いることなく、待機状態の消費電力を抑制しつつ装置間の電源連動を実現することができる。
【００７１】
また、本実施例２では、記憶システム１００は、ディスクエンクロージャ１２０と通信可能に接続され、ディスクエンクロージャ１２０と同様の構成を有するディスクエンクロージャ１３０を有する。そして、ディスクエンクロージャ１２０において、ＤＣ電圧重畳回路１２５は、電源制御部１２４によってシステム制御デバイス１２２に電源が投入された場合に、下位データ出力線３３にＤＣオフセット電圧を重畳させる。したがって、本実施例２によれば、複数のディスクエンクロージャが多段に接続される場合に、全ての装置間で電源連動を実現することができる。また、本実施例２によれば、ＤＣオフセット電圧のオン／オフのみの簡易な制御で、電源連動を実現することができるので、システム全体での電源連動にかかる時間を短縮することができる。
【００７２】
また、本実施例２では、コントローラエンクロージャ１１０において、ＤＣ電圧重畳回路１１４は、上位データ入力線３１へのＤＣオフセット電圧の重畳を停止することで、ディスクエンクロージャ１２０に対して電源切断を指示する。また、ディスクエンクロージャ１２０において、電源制御部１２４は、ＤＣ電圧検出回路１２３によって上位データ入力線３１にＤＣオフセット電圧が重畳されていないことが検出された場合に、システム制御デバイス１２２への電源供給を停止する。したがって、本実施例２によれば、電源制御用の信号を用いることなく、装置間で連動して電源を切断することができる。
【００７３】
また、本実施例２では、ディスクエンクロージャ１２０において、ＤＣ電圧重畳回路１２６は、システム制御デバイス１２２への電源供給が停止可能な状態である場合に、上位データ出力線３２にＤＣオフセット電圧を重畳させる。また、コントローラエンクロージャ１１０において、ＤＣ電圧検出回路１１５は、上位データ出力線３２にＤＣオフセット電圧が重畳されているか否かを検出する。また、ＤＣ電圧重畳回路１１４は、ＤＣ電圧検出回路１１５によって上位データ出力線３２にＤＣオフセット電圧が重畳されていることが検出された場合に、上位データ入力線３１へのＤＣオフセット電圧の重畳を停止する。したがって、本実施例２によれば、下位のディスクエンクロージャの状態を監視したうえで電源切断指示を行うので、下位装置の電源が不当に切断されるのを防ぐことができる。
【００７４】
また、本実施例２では、記憶システム１００は、ディスクエンクロージャ１２０と通信可能に接続され、ディスクエンクロージャ１２０と同様の構成を有するディスクエンクロージャ１３０を有する。そして、ディスクエンクロージャ１２０において、ＤＣ電圧重畳回路１２５は、電源制御部１２４によってシステム制御デバイス１２２への電源供給が停止された場合に、下位データ出力線３３へのＤＣオフセット電圧の重畳を停止する。したがって、本実施例２によれば、複数のディスクエンクロージャが多段に接続される場合に、全てのディスクエンクロージャ間で連動して電源を切断することができる。
【００７５】
また、本実施例２では、ディスクエンクロージャ１２０において、ＤＣ電圧検出回路１２７は、下位データ入力線３４にＤＣオフセット電圧が重畳されているか否かを検出する。また、ＤＣ電圧重畳回路１２６は、下位データ入力線３４にＤＣオフセット電圧が重畳されていることが検出され、かつ、システム制御デバイス１２２への電源供給が停止可能な状態である場合に、上位データ出力線３２にＤＣオフセット電圧を重畳させる。すなわち、本実施例２では、複数のディスクエンクロージャが多段に接続される場合に、全てのディスクエンクロージャで電源切断可能な場合のみ、連動して電源切断が行われる。したがって、本実施例２によれば、システム内で一部の装置の電源のみが切断されずに残ってしまうような事態を防ぐことができるので、各装置の電源をより確実に切断することができる。
【００７６】
なお、上記実施例２では、上位データ入力線３１にＤＣオフセット電圧が重畳されているか否かに応じて、電源の投入又は切断を切り替える場合について説明した。しかしながら、例えば、上位データ入力線３１に重畳されたＤＣオフセット電圧が正の電圧であるか負の電圧であるかに応じて、電源の投入又は切断を切り替えるようにしてもよい。
【００７７】
その場合、例えば、コントローラエンクロージャ１１０において、ＤＣ電圧重畳回路１１４が、上位データ入力線３１にＤＣオフセット電圧を重畳させる際に、ＤＣオフセット電圧を正の電圧とするか負の電圧とするかを切り替える。このとき、ＤＣ電圧重畳回路１１４は、ディスクエンクロージャ１２０に対して電源投入又は電源切断のいずれを指示するかに応じて、ＤＣオフセット電圧を正の電圧とするか負の電圧とするかを切り替える。
【００７８】
そして、例えば、ディスクエンクロージャ１２０において、ＤＣ電圧検出回路１２３が、上位データ入力線３１に重畳されているＤＣオフセット電圧が正の電圧又は負の電圧のいずれであるかを検出する。また、電源制御部１２４が、ＤＣ電圧検出回路１２３によって検出された電圧が正の電圧であるか負の電圧であるかに応じて、システム制御デバイス１２２に対して電源供給又は電源供給停止のいずれかを行う。
【００７９】
また、上記実施例２では、上位データ出力線３２にＤＣオフセット電圧が重畳されているか否かに応じて、システム制御デバイス１２２への電源供給が停止可能な状態であるか否かを切り替える場合について説明した。
【００８０】
しかしながら、例えば、上位データ出力線３２に重畳されたＤＣオフセット電圧が正の電圧であるか負の電圧であるかに応じて、システム制御デバイス１２２への電源供給が停止可能な状態であるか否かを切り替えるようにしてもよい。その場合、例えば、ディスクエンクロージャ１２０において、ＤＣ電圧重畳回路１２６が、上位データ出力線３２にＤＣオフセット電圧を重畳させる際に、ＤＣオフセット電圧を正の電圧とするか負の電圧とするかを切り替える。このとき、ＤＣ電圧重畳回路１２６は、システム制御デバイス１２２への電源供給が停止可能な状態であるか否かに応じて、ＤＣオフセット電圧を正の電圧とするか負の電圧とするかを切り替える。
【００８１】
そして、例えば、コントローラエンクロージャ１１０において、ＤＣ電圧検出回路１１５が、上位データ出力線３２に重畳されているＤＣオフセット電圧が正の電圧又は負の電圧のいずれであるかを検出する。また、ＤＣ電圧重畳回路１１４が、ＤＣ電圧検出回路１１５によって検出された電圧が正の電圧であるか負の電圧であるかに応じて、上位データ入力線３１へのＤＣオフセット電圧の重畳開始又は重畳停止のいずれかを行う。
【００８２】
また、上記実施例２では、コントローラエンクロージャ１１０において、ＤＣ電圧重畳回路１１４は、上位データ入力線３１にＤＣオフセット電圧を重畳させることで、ディスクエンクロージャ１２０に対して電源投入を指示する。また、ＤＣ電圧重畳回路１１４は、上位データ入力線３１へのＤＣオフセット電圧の重畳を停止することで、ディスクエンクロージャ１２０に対して電源切断を指示する。したがって、ＤＣ電圧重畳回路１１４によって電源投入が指示されてから電源切断が指示されるまでの間、上位データ入力線３１は、ＤＣオフセット電圧が重畳されたままの状態となる。
【００８３】
しかしながら、例えば、ＤＣオフセット電圧が所定の期間だけ重畳されるようにしてもよい。その場合、例えば、コントローラエンクロージャ１１０は、電源投入を指示する際、又は、電源切断を指示する際に、それぞれ、所定の期間だけ上位データ入力線３１にＤＣオフセット電圧を重畳させる。一方、ディスクエンクロージャ１２０は、上位データ入力線３１にＤＣオフセット電圧が重畳されるたびに、システム制御デバイス１２２に対する電源供給と電源切断とを切り替える。これにより、ＤＣオフセット電圧を重畳させる時間が短くなるので、ＤＣオフセット電圧を印加することで生じる電力消費量を小さくすることができる。
【００８４】
なお、ここでは、電源投入及び電源切断を指示するためのＤＣオフセット電圧について説明したが、ディスクエンクロージャ１２０によって上位データ出力線３２に重畳されるＤＣオフセット電圧についても同様に、印加される期間を短くすることができる。ただし、この場合には、コントローラエンクロージャ１１０は、ＤＣオフセット電圧が重畳されるたびに、システム制御デバイス１２２への電源供給が停止可能な状態であるか否かを示す情報を状態保持可能な論理回路やメモリなどの記憶部に保持しておく。これにより、コントローラエンクロージャ１１０は、記憶に保持された情報を参照することで、ディスクエンクロージャ１２０に対して電源切断を指示することが可能か否かを判定することができる。
【００８５】
また、上記実施例２では、２組の差動信号線を１チャンネルとし、合計で４チャンネルの信号線が装置間に設けられる場合について説明した。ここで、例えば、データ伝送線にＤＣオフセット電圧を重畳させる側の装置は、差動信号線のうちの１本のみに電圧を重畳させてもよいし、２本それぞれに電圧を重畳させてもよい。このように、ＤＣオフセット電圧を重畳させる側の装置が、全ての信号線に電圧を重畳させるのではなく、一部の信号線のみに電圧を重畳させることによって、電力消費量を抑えることができる。
【００８６】
なお、差動信号線を用いたデータ伝送では、データ通信の品質を上げる目的で、データを表す信号が２本の信号線それぞれに逆位相で伝送される。その場合、信号を受信する側の装置(具体的にはシステム制御デバイス)は、逆位相で伝送された信号の相対値を算出し、算出した相対値を基にデータ復号をおこなう。このような場合には、データ伝送線にＤＣオフセット電圧を重畳させる側の装置は、例えば、２本の信号線それぞれに電位を逆にした電圧を印加する。これにより、ＤＣオフセット電圧を検出する側の装置は、相対値を算出することで、より精度よくＤＣオフセット電圧を検出することができる。
【００８７】
また、２本の信号線それぞれにＤＣオフセット電圧を重畳させる場合には、例えば、ＤＣオフセット電圧を検出する側の装置が、それぞれの信号線における電圧値に基づいて、ＤＣオフセット電圧を検出してもよい。その場合、例えば、ＤＣオフセット電圧を検出する側の装置は、２本のうち一方のみの信号線で電圧が高くなっているときには、信号線に重畳されている電圧がノイズであるとみなす。すなわち、ＤＣオフセット電圧を検出する側の装置は、２本のうち一方のみの信号線で電圧が高くなっているときには、信号線にＤＣオフセット電圧が重畳されていないとみなす。
【００８８】
また、データ伝送線にＤＣオフセット電圧を重畳させる側の装置は、例えば、４チャンネルのうちの１チャンネルのみにＤＣオフセット電圧を重畳させてもよい。または、例えば、データ伝送線にＤＣオフセット電圧を重畳させる側の装置は、２つ以上の所定数のチャンネルにＤＣオフセット電圧を重畳させてもよい。その場合、例えば、ＤＣオフセット電圧を検出する側の装置は、所定数のチャンネル全てで電圧が高くなっている場合のみ、データ伝送線にＤＣオフセット電圧が重畳されていると検出する。
【００８９】
以上の各実施例を含む実施形態に関し、さらに以下の付記を開示する。
【００９０】
（付記１）外部からのアクセス要求を制御する基本装置と、
前記基本装置と通信可能に接続され、自装置内の記憶媒体に対する前記基本装置からのアクセス要求を制御する制御部を備えた拡張装置とを有し、
前記基本装置は、
自装置から前記拡張装置に入力するデータを伝送する上位データ入力線の電圧を基準値から変化させる上位入力電圧変更部を有し、
前記拡張装置は、
前記上位データ入力線の電圧の変化を検出する上位入力電圧検出部と、
前記上位入力電圧検出部によって検出された電圧の変化に基づいて前記制御部への電源供給を制御する電源制御部と
を有することを特徴とする記憶システム。
【００９１】
（付記２）前記基本装置が有する前記上位入力電圧変更部は、前記上位データ入力線に所定の大きさの電圧を重畳させることで前記拡張装置に対して電源投入を指示し、
前記拡張装置が有する前記上位入力電圧検出部は、前記上位データ入力線に電圧が重畳されているか否かを検出し、
前記拡張装置が有する前記電源制御部は、前記上位入力電圧検出部によって前記上位データ入力線に電圧が重畳されていることが検出された場合に、前記制御部に電源を投入して起動することを特徴とする付記１に記載の記憶システム。
【００９２】
（付記３）前記拡張装置と通信可能に接続され、当該拡張装置と同様の構成を有する追加拡張装置をさらに有し、
前記拡張装置は、
前記電源制御部によって前記制御部に電源が投入された場合に、自装置から前記追加拡張装置に出力するデータを伝送する下位データ出力線に所定の大きさの電圧を重畳させる下位出力電圧重畳部をさらに有することを特徴とする付記２に記載の記憶システム。
【００９３】
（付記４）前記基本装置が有する前記上位入力電圧変更部は、
前記上位データ入力線への電圧の重畳を停止することで前記拡張装置に対して電源切断を指示し、
前記拡張装置が有する前記電源制御部は、
前記上位入力電圧検出部によって前記上位データ入力線に電圧が重畳されていないことが検出された場合に、前記制御部への電源供給を停止することを特徴とする付記２に記載の記憶システム。
【００９４】
（付記５）前記拡張装置は、
前記制御部への電源供給が停止可能な状態である場合に、自装置から前記基本装置に出力するデータを伝送する上位データ出力線に所定の大きさの電圧を重畳させる上位出力電圧重畳部をさらに有し、
前記基本装置は、
前記上位データ出力線に電圧が重畳されているか否かを検出する上位出力電圧検出部をさらに有し、
前記基本装置が有する前記上位入力電圧変更部は、
前記上位出力電圧検出部によって前記上位データ出力線に電圧が重畳されていることが検出された場合に、前記上位データ入力線への電圧の重畳を停止することを特徴とする付記４に記載の記憶システム。
【００９５】
（付記６）前記拡張装置と通信可能に接続され、当該拡張装置と同様の構成を有する追加拡張装置をさらに有し、
前記拡張装置が有する前記下位出力電圧重畳部は、
前記電源制御部によって前記制御部への電源供給が停止された場合に、自装置から前記追加拡張装置に出力するデータを伝送する下位データ出力線への電圧の重畳を停止することを特徴とする付記３に記載の記憶システム。
【００９６】
（付記７）前記拡張装置は、
前記追加拡張装置から自装置に入力するデータを伝送する下位データ入力線に電圧が重畳されているか否かを検出する下位入力電圧検出部をさらに有し、
前記拡張装置が有する前記上位出力電圧重畳部は、
前記下位入力電圧検出部によって前記下位データ入力線に電圧が重畳されていることが検出され、かつ、前記制御部への電源供給が停止可能な状態である場合に、前記上位データ出力線に電圧を重畳させることを特徴とする付記５に記載の記憶システム。
【００９７】
（付記８）前記基本装置が有する前記上位入力電圧変更部は、
前記上位データ入力線に電圧を重畳させる際に、前記拡張装置に対して電源投入又は電源切断のいずれを指示するかに応じて、当該電圧を正の電圧とするか負の電圧とするかを切り替え、
前記拡張装置が有する前記上位入力電圧検出部は、
前記上位データ入力線に重畳されている電圧が正の電圧又は負の電圧のいずれであるかを検出し、
前記拡張装置が有する前記電源制御部は、
前記上位入力電圧検出部によって検出された電圧が正の電圧であるか負の電圧であるかに応じて、前記制御部に対して電源供給又は電源供給停止のいずれかを行うことを特徴とする付記４に記載の記憶システム。
【００９８】
（付記９）前記拡張装置が有する前記上位出力電圧重畳部は、
前記上位データ出力線に電圧を重畳させる際に、前記制御部への電源供給が停止可能な状態であるか否かに応じて、当該電圧を正の電圧とするか負の電圧とするかを切り替え、
前記基本装置が有する前記上位出力電圧検出部は、
前記上位データ出力線に重畳されている電圧が正の電圧又は負の電圧のいずれであるかを検出し、
前記基本装置が有する前記上位入力電圧変更部は、
前記上位出力電圧検出部によって検出された電圧が正の電圧であるか負の電圧であるかに応じて、前記上位データ入力線への電圧の重畳開始又は重畳停止のいずれかを行うことを特徴とする付記５に記載の記憶システム。
【００９９】
（付記１０）上位装置から入力するデータを伝送する上位データ入力線と、
記憶媒体と、
前記上位データ入力線を介して受信した前記記憶媒体に対するアクセス要求を制御する制御部と、
前記上位データ入力線の電圧の変化を検出する上位入力電圧検出部と、
前記上位入力電圧検出部によって検出された電圧の変化に基づいて前記制御部への電源供給を制御する電源制御部と
を有することを特徴とする記憶装置。
【０１００】
（付記１１）記憶媒体を有する記憶装置が上位装置から入力するデータを伝送する上位データ入力線の電圧の変化を検出するステップと、
検出された電圧の変化に基づいて、前記上位データ入力線を介して受信した前記記憶媒体に対するアクセス要求を制御する制御部への電源供給を制御するステップと
を含んだことを特徴とする記憶装置起動方法。
【符号の説明】
【０１０１】
１０  基本装置
１１  上位入力電圧変更部
２０  拡張装置
２１  記憶媒体
２２  制御部
２３  上位入力電圧検出部
２４  電源制御部
３０  上位データ入力線
【図１】
2011090574.tif 000003
【図２】
2011090574.tif 000004
【図３】
2011090574.tif 000005
【図４】
2011090574.tif 000006
【図５】
2011090574.tif 000007
【図６】
2011090574.tif 000008
【図７】
2011090574.tif 000009
【図８】
2011090574.tif 000010